(57)【要約】【課題】本発明は、再検分析が速くできる自動分析システムを提供することを目的とする。【解決手段】本発明は、検体が入る検体容器を保持した検体ラックと、前記検体ラックが投入される検体ラック投入部と、前記検体ラックが搬送される搬送ラインと、前記搬送ラインに沿って複数配置される自動分析装置と、分析をした検体が収まる検体ラックを待機させる検体ラック待機部と、分析を済ませた検体が収まる検体ラックを回収する検体ラック回収部と、分析結果によって再度分析が必要な検体が入った前記検体ラックを戻す再検査用搬送ラインを備える自動分析システムにおいて、前記検体の再分析では、前記検体ラック待機部より再検査用搬送ラインを通じて戻し、かつ先に分析をした自動分析装置以外の自動分析装置で分析を実行させる制御手段を有することを特徴とする。【選択図】図２
2008039554.tif 000002
【特許請求の範囲】
【請求項１】
検体が入る検体容器を保持した検体ラックと、前記検体ラックが搬送される搬送ラインと、前記搬送ラインに沿って複数配置される自動分析装置を備える自動分析システムにおいて、
前記検体の再分析では、先に使用した自動分析装置以外の自動分析装置で分析を実行させる制御手段を有することを特徴とする自動分析システム。
【請求項２】
検体が入る検体容器を保持した検体ラックと、前記検体ラックが投入される検体ラック投入部と、前記検体ラックが搬送される搬送ラインと、前記搬送ラインに沿って複数配置される自動分析装置と、分析をした検体が収まる検体ラックを待機させる検体ラック待機部と、分析を済ませた検体が収まる検体ラックを回収する検体ラック回収部と、分析結果によって再度分析が必要な検体が入った前記検体ラックを戻す再検査用搬送ラインを備える自動分析システムにおいて、
前記検体の再分析では、前記検体ラック待機部より再検査用搬送ラインを通じて戻し、かつ先に分析をした自動分析装置以外の自動分析装置で分析を実行させる制御手段を有することを特徴とする自動分析システム。
【請求項３】
検体が入る検体容器と、試薬が入る複数の試薬容器と、複数の反応部、前記検体容器より前記反応部に検体を分注する複数の検体分注手段と、前記試薬容器より前記反応部に検試薬を分注する複数の試薬分注手段を有する自動分析システムにおいて、
前記検体の再分析では、先に使用した、前記試薬容器以外の試薬、前記検体分注手段、および前記試薬分注手段を用いて分析を実行させる制御手段を有することを特徴とする自動分析システム。
【請求項４】
検体が入る検体容器を保持した検体ラックと、前記検体ラックが搬送される搬送ラインと、前記搬送ラインに沿って複数配置される自動分析装置を有し、
前記自動分析装置は試薬が入る複数の試薬容器と、複数の反応部、前記検体容器より前記反応部に検体を分注する複数の検体分注手段と、前記試薬容器より前記反応部に検試薬を分注する複数の試薬分注手段を有する自動分析システムにおいて、
前記検体の再分析では、先に使用した自動分析装置以外の自動分析装置を利用し、更に先に使用した、前記試薬容器以外の試薬、前記検体分注手段、および前記試薬分注手段を用いて分析を実行させる制御手段を有することを特徴とする自動分析システム。
【請求項５】
検体が入る検体容器を保持した検体ラック検体と、前記検体ラックが搬送される搬送ラインと、前記搬送ラインに沿って複数配置される自動分析装置を有し、
前記自動分析装置は試薬が入る複数の試薬容器と、複数の反応部、前記検体容器より前記反応部に検体を分注する複数の検体分注手段と、前記試薬容器より前記反応部に検試薬を分注する複数の試薬分注手段を有する自動分析システムにおいて、
前記検体の再分析では、先に使用した自動分析装置以外の自動分析装置の選択したり、先に使用した、前記試薬容器以外の試薬、前記検体分注手段、および前記試薬分注手段の選択が可能な選択手段を有することを特徴とする自動分析システム。
【請求項６】
請求項１〜５の何れかに記載された自動分析システムにおいて、
前記検体の再分析で項目単位の再分析が指定できる項目別設定手段を有することを特徴とする自動分析システム。
【請求項７】
請求項１〜５の何れかに記載された自動分析システムにおいて、
前記検体の再分析で要因単位の再分析が指定できる要因別設定手段を有することを特徴とする自動分析システム。
【発明の詳細な説明】
【技術分野】
【０００１】
本発明は、血液、尿等の生体サンプルの定性・定量分析を行う自動分析システムに係り、特に再検機能を備えた自動分析システムに関する。
【背景技術】
【０００２】
自動分析装置は、分析に用いる検体の成分及び状態により分析結果が大きく変化する。そこで、分析結果が正常値と比較して異常値と判断された場合には、その検体を再度分析し、その検体成分値が異常であるかを再度確認している。
【０００３】
再検分析の判断方法や実施方法としては、例えば、特開２００１−９１５１９号公報（特許文献１）、特開２００２−２２７４８号公報（特許文献２）等に示されている。
【０００４】
【特許文献１】特開２００１−９１５１９号公報
【特許文献２】特開２００２−２２７４８号公報
【発明の開示】
【発明が解決しようとする課題】
【０００５】
測定分析結果が異常値を示す要因として、対象検体の成分が実際に異常値である場合が多い。
【０００６】
しかし、その他の要因として試薬の劣化や汚染等による試薬起因及び検体分注部や試薬供給部及び測定部の不良や装置の経年劣化に伴う装置起因がある。
【０００７】
そのため、分析結果が正常値と比較して異常値と判断され、その検体を再度分析しても、同一の分析装置を用いて分析を行なった場合、試薬起因や装置起因により再度異常結果が出力される可能性がある。
【０００８】
その結果、異常値が検体成分の異常に起因するか、試薬及び装置に起因しているかの判断が困難になる。
【０００９】
その判断を行なう方法として、オペレータが別の分析装置に検体を持ち込んでの分析を実施する事があるが、オペレータの作業量の増大に加え、検体の結果が揃うまでの時間が大幅に掛かる事から検体の分析処理効率が著しく低下する。
【００１０】
本発明は、上記の問題に対処し、再検分析が速くできる自動分析システムを提供することを目的とする。
【課題を解決するための手段】
【００１１】
本発明は、検体が入る検体容器を保持した検体ラックと、前記検体ラックが搬送される搬送ラインと、前記搬送ラインに沿って複数配置される自動分析装置を備える自動分析システムにおいて、前記検体の再分析では、先に使用した自動分析装置以外の自動分析装置で分析を実行させる制御手段を有することを特徴とする。
【００１２】
本発明は、検体が入る検体容器と、試薬が入る複数の試薬容器と、複数の反応部、前記検体容器より前記反応部に検体を分注する複数の検体分注手段と、前記試薬容器より前記反応部に検試薬を分注する複数の試薬分注手段を有する自動分析システムにおいて、前記検体の再分析では、先に使用した、前記試薬容器以外の試薬、前記検体分注手段、および前記試薬分注手段を用いて分析を実行させる制御手段を有することを特徴とする。
【発明の効果】
【００１３】
本発明によれば、再検分析を速く実施することができる。
【発明を実施するための最良の形態】
【００１４】
以下、図面を用いて本発明の実施例を説明する。
【００１５】
図１を用いて、本実施例に係わる自動分析システムの全体構成について説明する。
【００１６】
図１は、本発明の実施例による自動分析システムの全体構成を示すシステムブロック図である。
【００１７】
本実施例による自動分析システムは、検体ラック投入部１と、ＩＤ読取部２と、搬送ライン３と、再検査用搬送ライン４と、自動分析装置である分析モジュール５，６，７，８と、検体ラック待機部９と、検体ラック回収部１００と、全体管理用コンピュータ１０１とを備えている。
【００１８】
自動分析装置である分析モジュール５，６，７，８は、同じ自動分析装置である。搬送ライン３に同じ自動分析装置が複数台並べて設けられている。
【００１９】
検体ラック投入部１は、それぞれ複数個の検体（試料）が入る複数の検体容器を保持する複数個の検体ラックを投入する部分である。
【００２０】
分析モジュール５，６，７，８（自動分析装置）は、搬送ライン３に沿って配置されているとともに、搬送ライン３に取り外し可能に接続されている。分析モジュールの数は任意でよく、本実施例では、４個の場合を示している。
【００２１】
本実施例では、全ての分析モジュールが生化学分析モジュールである場合を例に説明する。
【００２２】
なお、分析モジュールの構成は、その他の分析モジュール、例えば、生化学分析モジュールや免疫分析モジュール、電解質分析モジュールとの組み合わせで構成されていても良いものである。
【００２３】
搬送ライン３は、検体ラック投入部１からの検体ラックを、分析モジュール５，６，７，８のうち所定の分析モジュールに搬送する。
【００２４】
また、搬送ライン３は、分析モジュール５，６，７，８での分析が終了した検体を保持する検体ラックを、検体ラック回収部１００に収納するように搬送する。
【００２５】
分析モジュール５，６，７，８は、それぞれ、引込線１５１，１６１，１７１，１８１を有している。
【００２６】
検体ラックの搬送ライン３から分析モジュール５，６，７，８へのそれぞれの搬送は、その検体ラックを引込線１５１，１６１，１７１，１８１にそれぞれ引き込むことによって行われる。
【００２７】
再検査用搬送ライン４は、分析モジュール５，６，７，８のいずれかで分析処理した検体ラックを、再検査が必要である場合や、更に別の分析モジュールで分析する必要のある場合に、搬送ライン３の入り口に戻すためのものである。
【００２８】
検体ラック待機部９は、各分析モジュールで分析された検体をほかの分析モジュールで更に分析する場合、各分析モジュールでの分注，分析が終ってからの再検査すべきかどうかの判断結果が出るまで一時的に待機させる部分である。
【００２９】
分析モジュール５，６，７，８は、それぞれの分析モジュール内の必要な処理のための制御を行うコンピュータ１０２，１０３，１０４，１０５を備えている。
【００３０】
また、検体ラック投入部１は、検体ラック投入部１，搬送ライン３，再検査用搬送ライン４および検体ラック回収部１０内の必要な制御を行うコンピュータ１０６を備えている。
【００３１】
更に、検体ラック待機部９は、検体ラック内の必要な制御を行うコンピュー１０７を備えている。コンピュータ１０２，１０３，１０４，１０５，１０６，１０７およびＩＤ読取部２は、全体管理用のコンピュータ１０１に接続されている。
【００３２】
コンピュータ１０１には、更に必要な情報を入力する操作部１０８および分析結果を表示する表示部１０９が接続されている。またコンピュータ１０１,１０２，１０３，１０４，１０５，１０６，１０７を含む制御手段により、自動分析システムや、析モジュールの各種制御が行なわれる。
【００３３】
検体ラックによって保持された検体容器は、検体に関する情報（受付番号，患者氏名，依頼分析項目等）を示す検体ＩＤを有し、また、検体ラックは、ラック番号等のラック識別情報を示すラックＩＤを有する。
【００３４】
検体ラック投入部１に置かれた検体ラックは、搬送ライン３によって搬送されるが、検体ラックが搬送ライン３に移った際に、検体ＩＤや検体ラックＩＤが、ＩＤ読取部２で読み取られ、コンピュータ１０１に送られる。
【００３５】
コンピュータ１０１は、その情報に基づいて、依頼された分析項目の分析がいずれの分析モジュールで行われるかを決定し、コンピュータ１０６や決定された分析モジュールのコンピュータ１０２，１０３，１０４，１０５にその情報を与える。
【００３６】
次に、図２および図３を用いて、本実施例による自動分析システムにおいて再度検体を分析する時に初回分析時に用いた自動分析装置とは異なる自動分析装置を用いて分析を実施する場合を説明する。
【００３７】
図２は、本発明の一実施形態による分析開始から再検結果出力までの処理フローを示している。
【００３８】
図３は、本発明の一実施形態による自動分析装置の入出力装置での再検モードの設定画面の一例を示す説明図である。
【００３９】
分析開始前に図３の再検モード設定画面にて、同一検体を再度分析する際の分析方法の設定を行なう。再検モード選択ラジオボタン３０１にて、再検モードを選択する。
【００４０】
再検モードの詳細に付いては、以下で説明する。
【００４１】
再検モードを選択し、その設定を登録する時は、登録ボタン３０３を押す事で設定が保存される。設定を破棄する場合は、取消ボタン３０２を押す。
【００４２】
なお、上記ではユニット種類単位に設定する例を示したが、システム全体で同一の再検モード設定も可能である。
【００４３】
図２に示すように、分析動作中において、ステップ２０１にて分析システム内の１つの分析モジュール（ここで、例として図１の分析モジュール５とする）にて分析を行ない測定結果が出力される。
【００４４】
ステップ２０２にて全体管理用のコンピュータ１０１で項目単位に測定結果が再検対象か再検対象外かの解析を行う。
【００４５】
そこで、再検対象外であれば、その検体の分析を完了する。再検対象の項目が発生した場合、ステップ２０３にて全体管理用のコンピュータ１０１が再度分析依頼を作成する。
【００４６】
なお、その分析依頼に対して、装置が自動的に分析を行なっても良いし、実際に分析を行なうかどうかをオペレータが判断してもよい。
【００４７】
そこで、再検分析を行なう際、ステップ２０４として再検モード選択ラジオボタン３０１にて選択されている再検モードによって再検を行なう分析モジュールの選択方法が異なる。
【００４８】
なお、図３では、生化学項目を測定する比色モジュール、電解質分析を行なうＩＳＥ（電解質分析）モジュールを例として図示しているが、これが例えば免疫分析モジュール等の別項目測定のために用いる分析モジュールでもかまわない。
【００４９】
ここでステップ２０５として、再検モード選択ラジオボタン３０１にて完全別モジュールが選択されていた場合について説明する。
【００５０】
その場合、再検分析する際には、図２の全体管理用のコンピュータ１０１に記憶されている初回に分析した分析モジュール（ここでは図２の分析モジュール５）以外の分析モジュール（図２の分析モジュール６、７及び８）にて分析を行なうように検体ラックの搬送経路を決定し、分析を行なう事でステップ２０８にて再検結果が出力される。
【００５１】
もし初回に分析したモジュール以外にて再度分析する項目が分析不可の場合（例えば、試薬供給部に試薬が架設されていない等）には、その再検分析依頼をキャンセルして分析を行なわないようにする。
【００５２】
ステップ２０６として、再検モード選択ラジオボタン３０１にて別モジュール優先が選択されていた場合について説明する。
【００５３】
再検分析する際には、図２の全体管理用のコンピュータ１０１に記憶されている初回に分析した分析モジュール（ここでは図２の分析モジュール５）以外の分析モジュール（図２の分析モジュール６、７及び８）にて分析を行なうように検体ラックの搬送経路を決定して分析を行い、ステップ２０８にて再検結果を出力するのは、完全別モジュールを選択した時と同様である。
【００５４】
しかし、もし初回に分析したモジュール以外にて再度分析する項目が分析不可の場合（例えば、試薬供給部に試薬が架設されていない等）には、初回に分析した分析モジュール（ここでは図２の分析モジュール５）にて再検分析を行ない、ステップ２０８にて測定結果を出力する。
【００５５】
ステップ２０７として、再検モード選択ラジオボタン３０１にて処理能力優先が選択されていた場合について説明する。
【００５６】
これは、再検分析時の検体ラックの搬送経路決定時に初回分析においてどのモジュールにて分析したかについては一切考慮せず、分析システムとして処理能力が最も効率が高くなる分析モジュールに検体ラックを搬送し、再検分析を行なう事でステップ２０８にて結果を出力する。
【００５７】
上記３つの再検時の分析モードを持つ事で、オペレータや施設の考え方に合わせた再検分析方法を提供することが可能になる。
【００５８】
上記したように、入出力装置での再検モードの設定に応じて別の分析モジュール（自動分析装置）による再分析が制御手段により自動的に行なわれる。オペレータが別の分析装置に検体を移動して分析を行なうのに比べ、短時間で速く再分析を実行することができる。
【００５９】
次に、図４、図５及び図６を用いて、別の実施例による自動分析装置において再度検体を分析する時に初回分析時に用いた試薬容器、検体分注手段、試薬分注手段を用いて分析を実施する場合を説明する。
【００６０】
図４は生化学分析用の自動分析装置の上面図の一例である。
【００６１】
自動分析装置の筐体６２上の反応ディスク３６には、反応容器３５が円周上に並んでいる。反応ディスク３６の内側に試薬ディスク４２が、外側に試薬ディスク４１が配置されている。試薬ディスク４１，４２にはそれぞれ複数の試薬容器４０が円周上に載置可能である。
【００６２】
１つの試薬容器４０には２つの試薬が入る。反応ディスク３６の近くにサンプル容器１０（検体容器）を載せた検体ラック１１を移動する搬送機構１２が設置されている。
【００６３】
試薬ディスク４１と試薬ディスク４２の上にレール２５，２６が配置され、レール２５にはレールと平行な方向および上下方向に移動可能な試薬プローブ２０，２１が、レール２６にはレールと３軸方向に移動可能な試薬プローブ２２，２３が設置されている。
【００６４】
レール２５，２６、試薬プローブ２０，２１,２２，２３を含めて試薬分注手段と言う。
【００６５】
試薬プローブ２０，２１，２２，２３はそれぞれ図には明示されていない試薬用ポンプと接続している。
【００６６】
反応容器３５と搬送機構１２の間には、回転及び上下動可能なサンプルプローブ１５，１６が設置されている。サンプルプローブ１５，１６を検体分注手段と言う。
【００６７】
サンプルプローブ１５，１６はそれぞれ図には明示されていないサンプル用ポンプに接続している。３６の周囲には、撹拌装置３０，３１，光源５０，検出光学装置５１，容器洗浄機構４５が配置されている。
【００６８】
容器洗浄機構４５は図には明示されていない洗浄用ポンプに接続している。サンプルプローブ１５，１６，試薬プローブ２０，２１，２２，２３，攪拌装置３０，３１のそれぞれの動作範囲に洗浄ポート５４が設置されている。
【００６９】
試薬ディスク４１の上に補充用試薬保管庫７１が設置されている。補充用試薬保管庫７１には、複数個の試薬容器４０が搭載可能である。
【００７０】
図４には明示されていないサンプル用ポンプ，試薬用ポンプ，洗浄用ポンプ，検出光学装置５１，反応容器３５，試薬ディスク４１，試薬プローブ２０，２１，２２，２３，サンプルプローブ１５，１６，はそれぞれコントローラ６０に接続している。
【００７１】
ラック１１が搬送機構１２により引き込まれ、そのラック１１に保持されて、試料吸引位置に位置付けられた検体（試料）は、サンプルプローブ１５，１６にて吸引され、反応ディスク３６の反応容器３５に検体（試料）分注位置において放出される。
【００７２】
検体が放出された反応容器３５は、反応ディスク３６の回転により、第１の試薬分注位置に移動され、そこで、その反応容器３５には試薬ディスク４１もしくは４２に保持されている試薬容器４０が、第１の試薬プローブ２２または２３により分注される。
【００７３】
第１の試薬が分注された反応容器３５は、攪拌位置に移動され、そこで攪拌装置３１もしくは３２により試料と第１の試薬との攪拌が行われる。
【００７４】
更に、第２の試薬の添加が必要な場合は、攪拌処理済みの反応容器３５は、第２の試薬分注位置に移動され、そこで、反応容器３５には、試薬ディスク４１もしくは４２に保持されている第２の試薬４０が第２の試薬プローブ２２もしくは２３によって分注される。
【００７５】
分注済みの反応容器３５は、攪拌位置に移動され、そこで、攪拌装置３１もしくは３２により反応容器３５内の検体，第１の試薬及び第２の試薬の攪拌が行われ、その反応液が生成される。
【００７６】
反応液が入った反応容器３５は、測定位置に移動され、そこで、検出光学装置５１により、反応液の多波長吸光度測定が行われ、分析結果が得られる。
【００７７】
図５は、別形態の自動分析装置における分析開始から再検結果出力までの処理フローを示している。
【００７８】
図６は、別形態の自動分析装置の入出力装置での再検分析装置指定設定を行なう画面の一例を示す説明図である。
【００７９】
分析開始前に図６の再検モード設定画面にて、同一検体を再度分析する際の分析方法の設定を行なう。再検モード選択ラジオボタン６０１にて、再検時の分析モードを選択する。
【００８０】
再検モードの詳細に付いては、以下で説明する。
【００８１】
再検モードを選択し、その設定を登録する時は、登録ボタン６０３を押す事で設定が保存される。設定を破棄する場合は、取消ボタン６０２を押す。
【００８２】
なお、上記ではユニット種類単位に設定する例を示したが、システム全体で同一の再検モード設定も可能である。
【００８３】
図５に示すように、分析動作中において、ステップ５０１にて上記図４内サンプルプローブ１５もしくは１６にて試料吸引位置にて検体（試料）が吸引され、反応容器３５に放出される。
【００８４】
その反応容器３５には試薬ディスク４１もしくは４２に保持されている試薬容器４０が、第１の試薬プローブ２２または２３により分注される。
【００８５】
第２の試薬の添加が必要な場合は、反応容器３５は、第２の試薬分注位置に移動され、そこで、反応容器３５には、試薬ディスク４１もしくは４２に保持されている第２の試薬４０が第２の試薬プローブ２２もしくは２３によって分注される。
【００８６】
つまり、１つの項目を分析する際には、最大１つのサンプルプローブと２つの試薬プローブを用いる事で分析が行なわれている。
【００８７】
１つの項目の分析に用いたサンプルプローブ及び試薬プローブを合わせて分析系統と呼ぶ（例として本分析では、サンプルプローブとして１５、試薬プローブとして２２と４１を用いたとする）。上記分析系統を用いて初回の分析結果が出力される。
【００８８】
ステップ５０２にて測定した項目単位で測定結果が再検対象か再検対象外かの解析を行う。そこで、再検対象外であれば、その検体の分析を完了する。再検対象であった場合は、ステップ５０３にて再検分析依頼を作成する。
【００８９】
なお、その分析依頼に対し装置が自動的に分析を行なっても良いし、実際に分析を行なうかどうかをオペレータが判断してもよい。
【００９０】
そこで、再検分析を行なう際、ステップ５０４として再検モード選択ラジオボタン６０１にて選択されている再検モードによって再検を行なう分析系統の選択方法が異なる。
【００９１】
ここでステップ５０５として、再検モード選択ラジオボタン６０１にて、完全別系統が選択されていた場合について説明する。
【００９２】
その場合、再度同一検体を分析する際には、装置に記憶されている初回に分析した分析系統（本例では、サンプルプローブとして１５、試薬プローブとして２２と４１）と異なる分析系統（ここではサンプルプローブとして１６、試薬プローブとして２３と４２）にて分析を行なうように分析スケジューリングを決定し、分析を行なう事でステップ５０８にて再検結果が出力される。
【００９３】
もし初回に分析した分析系統以外にて再度分析する項目が分析不可の場合には、その再検分析依頼をキャンセルして分析を行なわないようにする。
【００９４】
ステップ５０６として、再検モード選択ラジオボタン６０１にて、別系統優先が選択されていた場合について説明する。
【００９５】
再度同一検体を分析する際には、装置に記憶されている初回に分析した分析系統（ここではサンプルプローブとして１５、試薬プローブとして２２と４１）と異なるの分析系統（ここではサンプルプローブとして１６、試薬プローブとして２３と４２）にて分析を行なうように分析スケジューリングを決定して分析を行い、ステップ５０８にて再検結果を出力するのは、完全別系統を選択した時と同様である。
【００９６】
しかし、もし初回に分析したモジュール以外にて再度分析する項目が分析不可の場合には、初回に分析した分析モジュール（サンプルプローブとして１５、試薬プローブとして２２と４１）にて再検分析を行ない、ステップ５０８にて分析結果を出力する。
【００９７】
ステップ５０７として、再検モード選択ラジオボタン６０１にて、処理能力優先が選択されていた場合について説明する。
【００９８】
これは、再検分析時の分析スケジューリング決定時に初回の分析においてどの分析系統にて分析したかについては一切考慮せず、分析装置として処理能力が最も効率が高くなる分析系統を用いるように分析スケジューリングし、再検分析を行なう事でステップ５０８にて分析結果を出力する。
【００９９】
なお、本実施例は、例えば１つ以上の検体供給部と１つ以上の試薬供給部をもつ単独の分析装置について説明したが、本分析装置を複数持つ分析システムにおいても可能である。
【０１００】
上述したように、検体の再分析では、先に使用した、試薬容器以外の試薬、検体分注手段、および試薬分注手段を用いた再分析が制御手段により自動的に行なわれる。オペレータが別の分析装置に検体を移動して分析を行なうのに比べ、短時間で速く再分析を実行することができる。
【０１０１】
また、同じ試薬、同じ検体分注手段および試薬分注手段を用いた再分析にともなう試薬及び装置に起因する分析不良を回避することもできる。
【０１０２】
次に図７および図８を用いて、再検分析を実施する際に再検項目に応じて用いる分析装置の選択方法を決定する場合を説明する。
【０１０３】
なお、本実施例は図１のように複数の分析モジュールを有する分析システムにおいても、図２のように１つの分析装置内に複数の分析系統を有する装置においても同様に適応可能であるが、例として図１を用いて説明する。
【０１０４】
図７は、本発明の実施例による自動分析装置における分析開始から再検結果出力までの処理フローを示している。
【０１０５】
図８は、本発明の実施例による自動分析装置の入出力装置での項目別再検モード設定を行なう画面の一例を示す説明図である。
【０１０６】
分析開始前に図８の項目別再検モード設定画面にて、再検分析する際の再検モードを項目単位で設定を行なう。
【０１０７】
項目リスト８０１に表示されている項目を選択し、再検モード選択ラジオボタン８０２にて、再検時の分析モードを選択する事で項目別に再検モードを設定可能とする。
【０１０８】
再検モードの詳細については、以下で説明する。
【０１０９】
再検モードを選択し、その設定を登録する時は、登録ボタン８０３を押す事で設定が保存される。設定を破棄する場合は、取消ボタン８０４を押す。
【０１１０】
図７に示すように、分析動作中において、ステップ７０１にて分析システム内の１つの分析モジュール（ここで、例として図１の分析モジュール５とする）にて分析結果が得られる。
【０１１１】
ステップ７０２にて全体管理用のコンピュータ１０１にて測定した項目単位にて測定結果が再検対象か再検対象外かの解析を行う。
【０１１２】
そこで、再検対象外であれば、その検体の分析を完了する。再検対象であった場合は、ステップ７０３にて全体管理用のコンピュータ１０１が再検分析依頼を作成する。
【０１１３】
なお、その分析依頼に対して、装置が自動的に分析を行なっても良いし、分析依頼を発生させるが実際に分析を行なうかどうかをオペレータが判断してもよい。
【０１１４】
ステップ７０４として、再検分析を行なうと判断された項目が図７の項目別再検モード設定画面内にて、どの再検モードが選択されているかにより再検を行なう分析モジュールの選択方法が異なる。
【０１１５】
ここでステップ７０５として、再検モード選択ラジオボタン８０２にて、完全別モジュールが選択されていた項目（ここでは例として、図８内Ｔｅｓｔ１が該当する）が再検を行なう場合について説明する。
【０１１６】
その場合、Ｔｅｓｔ１の再検分析を実施する際には、図２の全体管理用のコンピュータ１０１に記憶されている初回に分析した分析モジュール（ここでは図２の分析モジュール５）以外の分析モジュール（図２の分析モジュール６、７及び８）にて分析を行なうように検体ラックの搬送経路を決定し、分析を行なう事でステップ７０８にて再検結果が出力される。
【０１１７】
もし初回に分析したモジュール以外にて再度分析する項目が分析不可の場合（例えば、試薬供給部に試薬が架設されていない等）には、その再検分析依頼をキャンセルして分析を行なわないようにする。
【０１１８】
ステップ７０６として、再検モード選択ラジオボタン８０２にて、別モジュール優先が選択されていた項目（ここでは例として、図７内Ｔｅｓｔ２が該当する）が再検を行なう場合について説明する。
【０１１９】
再度Ｔｅｓｔ２を分析する際には、図２の全体管理用のコンピュータ１０１に記憶されている初回に分析した分析モジュール（ここでは図２の分析モジュール５）以外の分析モジュール（図２の分析モジュール６、７及び８）にて分析を行なうように検体ラックの搬送経路を決定して分析を行い、ステップ７０８にて再検結果を出力するのは完全別モジュールを選択した時と同様である。
【０１２０】
しかし、もし初回に分析したモジュール以外にて再度分析する項目が分析不可の場合（例えば、試薬供給部（試薬容器）に試薬が架設されていない等）には、初回に分析した分析モジュール（ここでは図２の分析モジュール５）にて再検分析を行ない、ステップ７０８にて測定結果を出力する。
【０１２１】
ステップ７０７として、再検モード選択ラジオボタン８０２にて、処理能力優先が選択されていた項目（ここでは例として、図８内Ｔｅｓｔ３が該当する）が再検を行なう場合について説明する。
【０１２２】
これは、再検分析時の検体ラックの搬送経路決定時に初回の分析においてどのモジュールにて分析したかについては一切考慮せず、分析システムとして処理能力が最も効率が高くなる分析モジュールに検体ラックを搬送し、再検分析を行なう事でステップ７０８にて結果を出力する。
【０１２３】
次に図９および図１０を用いて、別実施形態による自動分析システムにおいて、再検分析する際に再検分析するに至った要因に応じて用いる分析装置の選択方法を決定する場合を説明する。
【０１２４】
なお、本実施形態は図１のように複数の分析モジュールを有する分析システムにおいても、図２のように１つの分析装置内に複数の分析系統を有する装置においても同様に適応可能であるが、例として図１を用いて説明する。
【０１２５】
図９は、本発明の異なる一実施形態による自動分析システムにおける分析開始から再検結果出力までの処理フローを示している。
【０１２６】
図１０は、本発明の一実施形態による自動分析装置の入出力装置での要因別再検モード設定を行なう画面の一例を示す説明図である。
【０１２７】
分析開始前に図１０の要因別再検モード設定画面にて、再検分析する際の再検モードを要因単位で設定を行なう。
【０１２８】
再検要因リスト１００１（例として正常値範囲より測定値が高い場合、正常値範囲より測定値が低い場合及び測定値から結果が計算不可能である場合を示している）に表示されている要因を選択し、再検モード選択ラジオボタン１００２にて、再検時の分析モードを選択する事で再検の要因別に再検モードを設定可能とする。
【０１２９】
再検モードの詳細に付いては、以下で説明する。
【０１３０】
再検モードを選択し、その設定を登録する時は、登録ボタン１００３を押す事で設定が保存される。設定を破棄する場合は、取消ボタン１００４を押す。
【０１３１】
分析動作中において、ステップ９０１にて分析システム内の１つの分析モジュール（ここで、例として図１の分析モジュール５とする）にて分析結果が得られる。
【０１３２】
ステップ９０２にて全体管理用のコンピュータ１０１にて測定した項目単位にて測定結果が再検対象か再検対象外かの解析を行う。そこで、再検対象外であれば、その検体の分析を完了する。
【０１３３】
再検対象であった場合は、ステップ９０３にて全体管理用のコンピュータ１０１が再検分析依頼を作成する。
【０１３４】
なお、その分析依頼に対して、装置が自動的に分析を行なっても良いし、分析依頼を発生させるが実際に分析を行なうかどうかをオペレータが判断してもよい。
【０１３５】
ステップ９０４として、再検分析を行なうと判断された項目の再検要因が図１０の要因別再検モード設定画面内にて、どの再検モードが選択されているかにより再検を行なう分析モジュールの選択方法が異なる。
【０１３６】
ここでステップ９０５として、再検モード選択ラジオボタン１００２にて、完全別モジュールが選択されている再検要因（ここでは例として、再検要因が図１０内正常値範囲外（高）が該当する）にて再検を行なう場合について説明する。
【０１３７】
その場合、正常値範囲外（高）の要因にて再検分析する際には、図２の全体管理用のコンピュータ１０１に記憶されている初回に分析した分析モジュール（ここでは図２の分析モジュール５）以外の分析モジュール（図２の分析モジュール６、７及び８）にて分析を行なうように検体ラックの搬送経路を決定し、分析を行なう事でステップ９０８にて再検結果が出力される。
【０１３８】
もし初回に分析したモジュール以外にて再度分析する項目が分析不可の場合（例えば、試薬供給部に試薬が架設されていない等）には、その再検分析依頼をキャンセルして分析を行なわないようにする。
【０１３９】
ステップ９０６として、再検モード選択ラジオボタン１００２にて、別モジュール優先が選択されている再検要因（ここでは例として、再検要因が図１０内正常値範囲外（低）が該当する）にて再検を行なう場合について説明する。
【０１４０】
正常値範囲外（低）の要因にて再度分析する際には、図２の全体管理用のコンピュータ１０１に記憶されている初回に分析した分析モジュール（ここでは図２の分析モジュール５）以外の分析モジュール（図２の分析モジュール６、７及び８）にて分析を行なうように検体ラックの搬送経路を決定して分析を行い、ステップ９０８にて再検結果を出力するのは、完全別モジュールを選択した時と同様である。
【０１４１】
しかし、もし初回に分析したモジュール以外にて再度分析する項目が分析不可の場合（例えば、試薬供給部に試薬が架設されていない等）には、初回に分析した分析モジュール（ここでは図２の分析モジュール５）にて再検分析を行ない、ステップ９０８にて測定結果を出力する。
【０１４２】
ステップ９０７として、再検モード選択ラジオボタン１００２にて、処理能力優先が選択されている再検要因（ここでは例として、再検要因が図１０内測定結果計算不能が該当する）にて再検を行なう場合について説明する。
【０１４３】
これは、再検分析時の検体ラックの搬送経路決定時に初回の分析においてどのモジュールにて分析したかについては一切考慮せず、分析システムとして処理能力が最も効率が高くなる分析モジュールに検体ラックを搬送し、再検分析を行なう事でステップ９０８にて結果を出力する。
【図面の簡単な説明】
【０１４４】
【図１】本発明の実施例に係わるもので、自動分析システムの全体構成を示すシステムブロック図である。
【図２】本発明の実施例に係わるもので、分析開始から再検結果出力までの処理フローを示している。
【図３】本発明の実施例に係わるもので、自動分析装置の入出力装置での再検モード設定を行なう画面の一例を示す説明図である。
【図４】本発明の他の実施例に係わるもので、自動分析装置の上面図の一例である。
【図５】本発明の他の実施例に係わるもので、分析開始から再検結果出力までの処理フローを示している。
【図６】本発明の他の実施例に係わるもので、入出力装置での再検分析装置指定設定を行なう画面の一例を示す説明図である。
【図７】本発明の実施例に係わるもので、自動分析装置における分析開始から再検結果出力までの処理フローを示している。
【図８】本発明の実施例に係わるもので、自動分析装置の入出力装置での項目別再検モード設定を行なう画面の一例を示す説明図である。
【図９】本発明の他の実施例に係わるもので、自動分析システムにおける分析開始から再検結果出力までの処理フローを示している。
【図１０】本発明の実施例に係わるもので、自動分析装置の入出力装置での要因別再検モード設定を行なう画面の一例を示す説明図である。
【符号の説明】
【０１４５】
１…検体ラック投入部、２…ＩＤ読取部、３…搬送ライン、４…再検査用搬送ライン、５，６，７，８…分析モジュール、９…検体ラック待機部、１０…サンプル容器、１１…ラック、１２…搬送機構、１５，１６…サンプルプローブ、２０，２１，２２，２３…試薬プローブ、２５，２６，７２…レール、３０，３１…攪拌装置、３５…反応容器、３６…反応ディスク、４０…試薬容器、４１，４２…試薬ディスク、４５…容器洗浄機構、５０…光源、５１…検出光学装置、５４…洗浄ポート、６０…コントローラ、６２…筐体、１００…検体ラック回収部、１０１…全体管理用コンピュータ、１０２，１０３，１０４，１０５，１０６，１０７…各分析モジュール用コンピュータ、１０８…操作部、１０９…表示部、１５１，１６１，１７１，１８１…引込線、３０１…再検モード選択ラジオボタン、３０２…取消ボタン、３０３…登録ボタン、６０１…再検モード選択ラジオボタン、６０２…取消ボタン、６０３…登録ボタン、８０１…項目リスト、８０２…再検モード選択ラジオボタン、８０３…取消ボタン、８０４…登録ボタン、１００１…再検要因リスト、１００２…再検モード選択ラジオボタン、１００３…登録ボタン、１００４…取消ボタン。
【図１】
2008039554.tif 000003
【図２】
2008039554.tif 000004
【図３】
2008039554.tif 000005
【図４】
2008039554.tif 000006
【図５】
2008039554.tif 000007
【図６】
2008039554.tif 000008
【図７】
2008039554.tif 000009
【図８】
2008039554.tif 000010
【図９】
2008039554.tif 000011
【図１０】
2008039554.tif 000012